(57)【要約】【課題】ドア８の開閉操作部分に、室内のシーリングライト５を点消灯させるためのスイッチを設けるに当たり、そのスイッチのＯＮ・ＯＦＦ状態を切り換えるときの操作性を高めるようにする。【解決手段】室内の出入り口７を開閉するドア８を開閉操作する室外側のドアレバーハンドル１６は、使用者がドア８の開閉操作時に握る握り部１９が設けられたハンドル本体１７を備え、ハンドル本体１７は基端延長部１７ａを有する。その基端延長部１７ａにおいて、握り部１９を握った使用者の手の親指が操作可能な位置である端面１７ｂに、シーリングライト５を点灯又は消灯させるスイッチ２３が取り付けられている。室内に入ろうとする使用者がドア８を開けるために室外側のドアレバーハンドル１６の握り部１９を握り、その握り部１９を握った手の親指がスイッチ２３を操作できるようにする。【選択図】図１
2018104984.tif 000002
【特許請求の範囲】
【請求項１】
室内照明機器を有する室の出入り口を開閉するドアに設けられ、該ドアを開閉操作するためのドアレバーハンドルにおいて、
使用者が上記ドアの開閉操作時に握る握り部と、上記室内照明機器の点灯又は消灯を切り換えるスイッチとが設けられており、
上記スイッチは、上記握り部を握った使用者の手により切換操作可能な構造とされていることを特徴とするスイッチ付きドアレバーハンドル。
【請求項２】
請求項１において、
スイッチは、握り部を握った使用者の手の指による押込み操作によりＯＮ・ＯＦＦ状態が切換可能であることを特徴とするスイッチ付きドアレバーハンドル。
【請求項３】
請求項２において、
ドアの表裏面に沿って延びるハンドル本体と、該ハンドル本体に接続され、ハンドル本体をドアに回動可能に支持する軸部とを備え、
上記ハンドル本体において軸部との接続部分から先端側に向かう範囲に握り部が設けられ、
スイッチは、上記ハンドル本体の基端部又は握り部におけるドア側の裏面に設けられていることを特徴とするスイッチ付きドアレバーハンドル。
【請求項４】
請求項２又は３において、
スイッチは、発光可能であることを特徴とするスイッチ付きドアレバーハンドル。
【請求項５】
請求項１において、
ドアの表裏面に沿って延びるハンドル本体と、該ハンドル本体に接続され、ハンドル本体をドアに回動可能に支持する軸部とを備え、
上記ハンドル本体において軸部との接続部分から先端側に向かう範囲に握り部が設けられ、
スイッチは、上記握り部を握ってハンドル本体を操作したときの該ハンドル本体の動きに応じてＯＮ・ＯＦＦ状態が切換操作される構造であることを特徴とするスイッチ付きドアレバーハンドル。
【請求項６】
請求項１〜５のいずれか１つにおいて、
ドアの室外側に設けられたものであることを特徴とするスイッチ付きドアレバーハンドル。
【請求項７】
請求項１〜６のいずれか１つのスイッチ付きドアレバーハンドルを備えたことを特徴とするドア。
【請求項８】
室の内部に設けられた室内照明機器の点消灯状態を切り換える点消灯切換装置であって、
上記室の出入り口を開閉するドアに、該ドアを開閉操作するドアレバーハンドルが設けられ、
上記ドアレバーハンドルは、使用者が上記ドアの開閉操作時に握る握り部と、上記室内照明機器の点灯又は消灯を切り換えるスイッチとを備えており、
上記スイッチは、上記ドアレバーハンドルの握り部を握った使用者の手により切換操作可能な構造とされていることを特徴とする室内照明機器の点消灯切換装置。
【発明の詳細な説明】
【技術分野】
【０００１】
本発明は、スイッチ付きドアレバーハンドル、ドア及び室内照明機器の点消灯切換装置に関するものである。
【背景技術】
【０００２】
一般に、室内を照明する照明器具を点灯又は消灯させるスイッチは、室内において出入り口（ドア）近くの壁部に取り付けられており、夜間、ドアを開けて照明器具を点灯させようとするとき、暗い中で壁部のスイッチを探さなければならず、探すのに時間がかかるだけでなく、スイッチを探す際に室内の家具や備品等にぶつかる虞れがある。
【０００３】
そこで、従来、例えば特許文献１や特許文献２に示されるように、ドアを開閉するドアノブにタッチタイプやプッシュ式のスイッチを設け、そのスイッチを操作することで、室内照明機器を点灯又は消灯させるようにした室内照明制御装置が提案されている。
【先行技術文献】
【特許文献】
【０００４】
【特許文献１】実開昭６２−１６８５９９号公報（特に第５頁及び第６頁、第１図）
【特許文献２】実開平３−５５６０９号公報（特に第７頁及び第９頁、第２図）
【発明の概要】
【発明が解決しようとする課題】
【０００５】
ところで、特許文献１に示される室内照明制御装置では、ドアノブにタッチタイプのスイッチが設けられているので、不用意にドアノブに触ると室内照明機器が点灯又は消灯される可能性があり、それを避けるために複雑な制御が必要となる。
【０００６】
また、特許文献２の技術では、ドアノブにプッシュ式のスイッチが設けられるので、ドアノブに触るだけでは室内照明機器が点灯又は消灯されることはないものの、ドアノブを握りながら別の手でスイッチを操作する必要があり、その操作に手間を要して操作性に難がある。
【０００７】
本発明は斯かる点に鑑みてなされたもので、その目的は、ドアの開閉操作部に室内照明機器の点消灯用のスイッチを設けるに当たり、そのスイッチのＯＮ・ＯＦＦ状態を切り換えるときの操作性を高めるようにすることにある。
【課題を解決するための手段】
【０００８】
上記の目的を達成すべく、この発明では、レバー式のドアハンドルが棒状の握り部を有することに着目し、その握り部を握った状態の手でスイッチを操作できるようにした。
【０００９】
具体的には、第１の発明は、室内照明機器を有する室の出入り口を開閉するドアに設けられ、該ドアを開閉操作するためのドアレバーハンドルにおいて、使用者が上記ドアの開閉操作時に握る握り部と、上記室内照明機器の点灯又は消灯を切り換えるスイッチとが設けられており、上記スイッチは、この握り部を握った使用者の手により切換操作可能な構造とされていることを特徴とする。
【００１０】
この第１の発明では、ドアレバーハンドルに握り部が設けられ、この握り部を使用者が手で握ったときにその握った状態の手により切換操作可能なスイッチが設けられているので、例えば、室内に入ろうとする使用者がドアを開けるために室外側のドアレバーハンドルの握り部を握り、その手によりスイッチを操作することで、そのスイッチが切り換わって室内照明機器が点灯又は消灯する。そのため、室外からドアを開けるのと同時にないしは開けながら室内照明器具を点灯させることができ、暗い室内で照明器具の点灯のために壁スイッチを探す必要がなくなり、素早くスムーズに照明器具を点灯させ、壁スイッチを探す際に室内の家具や備品等に当たることもなくなる。
【００１１】
また、ドアのハンドルは握り部を有するレバーハンドルであり、その握り部を手で握った状態で、その手によってスイッチを切換操作するので、握り部を握った手の動作を利用してスイッチを操作でき、スイッチをスムーズに切換操作して、その切換操作時の操作性を高めることができる。
【００１２】
第２の発明では、第１の発明において、スイッチは、握り部を握った使用者の手の指による押込み操作によりＯＮ・ＯＦＦ状態が切換可能であることを特徴とする。
【００１３】
この第２の発明では、ドアレバーハンドルの握り部を手で握った状態で、その手の指によってスイッチを切換操作できるようになり、握り部を握った手の指を利用してスイッチを切換操作でき、スイッチをスムーズに操作して、その操作性を高めることができる。
【００１４】
また、１つのスイッチを押込み操作するだけで、そのＯＮ・ＯＦＦ状態が切り換わるので、切換えのために複数のスイッチが不要であり、シンプルな構造となるとともに、切換えの誤操作を防ぐことができる。
【００１５】
第３の発明では、第２の発明において、ドアレバーハンドルは、ドアの表裏面に沿って延びるハンドル本体と、このハンドル本体に接続され、ハンドル本体をドアに回動可能に支持する軸部とを備え、上記ハンドル本体において軸部との接続部分から先端側に向かう範囲に握り部が設けられ、スイッチは、上記ハンドル本体の基端部又は握り部におけるドア側の裏面に設けられていることを特徴とする。
【００１６】
この第３の発明では、スイッチ付きドアレバーハンドルは、ドアの表裏面に沿って延びるハンドル本体と、このハンドル本体をドアに回動可能に支持する軸部とを有しているので、ハンドル本体の握り部を手で握ってハンドル本体を軸部回りに回動させることで、例えばドアのラチェットボルトが没入し、ドアを開くことができる。このハンドル本体の握り部とは反対側の基端部又は握り部におけるドア側の裏面にスイッチが設けられているので、握り部を握ってハンドル本体を回す前に、握り部を握った手の親指又は握った部分のいずれかの指でスイッチを操作することができる。このことで、スイッチの切換操作時の操作性を高めることができる。
【００１７】
第４の発明では、第２又は第３の発明において、スイッチは、発光可能であることを特徴とする。
【００１８】
この第４の発明では、スイッチが光るので、ドアレバーハンドルにおいて発光状態のスイッチを容易に識別して、その操作をスムーズに行うことができる。
【００１９】
第５の発明では、第１の発明において、スイッチ付きドアレバーハンドルは、ドアの表裏面に沿って延びるハンドル本体と、このハンドル本体に接続され、ハンドル本体をドアに回動可能に支持する軸部とを備え、上記ハンドル本体において軸部との接続部分から先端側に向かう範囲に握り部が設けられ、スイッチは、上記握り部を握ってハンドル本体を操作したときの該ハンドル本体の動きに応じてＯＮ・ＯＦＦ状態が切換操作される構造であることを特徴とする。
【００２０】
この第５の発明では、使用者がハンドル本体の握り部を握って該ハンドル本体を操作したときの該ハンドル本体の動きに応じてスイッチのＯＮ・ＯＦＦ状態が切換操作される。このことで、ドアを開くためにドアレバーハンドルのハンドル本体を握って所定の操作をすれば、自動的にスイッチが切換操作されて室内照明機器を点灯させることができ、スイッチの切換操作時の操作性を高めることができる。
【００２１】
第６の発明では、第１〜第５の発明のいずれか１つにおいて、ドアレバーハンドルはドアの室外側に設けられたものであることを特徴とする。
【００２２】
この第６の発明では、室内に入ろうとする使用者がドアを開けるために室外側のドアレバーハンドルの握り部を手で握り、その手によりスイッチを操作すると、そのスイッチが切り換わって室内照明機器が点灯又は消灯する。そのため、室外からドアを開ける前に室内の照明器具を点灯させることができ、暗い室内で照明器具の点灯のためにスイッチを探す必要がなくなる。
【００２３】
第７の発明はドアに係り、このドアは、第１〜第６の発明のいずれか１つのスイッチ付きドアレバーハンドルを備えたことを特徴とする。この発明でも第１の発明と同様の作用効果を奏することができる。
【００２４】
第８の発明は室内照明機器の点消灯切換装置に係り、この点消灯切換装置は、室の内部に設けられた室内照明機器の点消灯状態を切り換えるものであって、上記室の出入り口を開閉するドアに、該ドアを開閉操作するドアレバーハンドルが設けられ、そのドアレバーハンドルは、使用者が上記ドアの開閉操作時に握る握り部と、上記室内照明機器の点灯又は消灯を切り換えるスイッチとを備えており、上記スイッチは、ドアレバーハンドルの握り部を握った使用者の手により切換操作可能な構造とされていることを特徴とする。
【００２５】
この第８の発明でも第１の発明と同様の作用効果を奏することができる。
【発明の効果】
【００２６】
以上説明したように、本発明によると、室の出入り口を開閉するドアに設けられるドアレバーハンドルにおいて、室内の照明機器の点灯又は消灯を切り換えるスイッチを、使用者がドアの開閉操作時に握り部を握ったときにその握り部を握った使用者の手により操作可能となるように設けたことにより、室外からドアを開けるために室外側のドアレバーハンドルの握り部を握り、その手によりスイッチを操作して室内の照明器具を点灯させることができ、素早くスムーズに照明器具を点灯させるとともに、握り部を握った手の動作を利用してスイッチを操作でき、スイッチをスムーズに操作して、その操作性を高めることができる。
【図面の簡単な説明】
【００２７】
【図１】図１は、本発明の実施形態１に係るドアレバーハンドルをドアの一部と共に示す斜視図である。
【図２】図２は、ドアレバーハンドルの要部を拡大して示す縦断面図である。
【図３】図３は、ドア及び室内側スイッチの配置を示す平面図である。
【図４】図４は、本発明の実施形態１に係る室内照明機器用の点消灯切換装置が設置された室内を示す斜視図である。
【図５】図５は、本発明の実施形態２に係るドアレバーハンドルをドアの一部と共に示す平面図である。
【図６】図６は、本発明の実施形態３に係るドアレバーハンドルを示す正面図である。
【図７】図７は、本発明の実施形態４に係るドアレバーハンドルを示す図５相当図である。
【図８】図８は、本発明の実施形態５に係るドアレバーハンドルを示す図５相当図である。
【発明を実施するための形態】
【００２８】
以下、本発明の実施形態を図面に基づいて詳細に説明する。以下の実施形態の説明は、本質的に例示に過ぎず、本発明、その適用物或いはその用途を制限することを意図するものでは全くない。
【００２９】
（実施形態１）
図４は、本発明の実施形態１に係る室内照明機器用の点消灯切換装置が設置された室の内部を示し、１は室内の床、２は壁、３は天井であり、この天井３に室内を照明する室内照明器具としての例えば１つのシーリングライト５が取り付けられている。尚、室内照明器具はシーリングライト５に限定されず、天井３に取り付けられた複数のスポットライト、壁２に取り付けられたライト、フロアスタンド等、室内を照明するものであればよい。
【００３０】
図３にも示すように、上記壁２には、室に出入りするための出入り口７が開口され、この出入り口７はドア８によって開閉される。このドア８は、出入り口７周囲の一方の縦枠９に上下複数のヒンジ１０，１０，…を介して上下方向の軸線回りに揺動可能に支持されたヒンジ式のドアで、そのヒンジ１０と反対側の揺動端部には室内側及び室外側にそれぞれ突出するドアレバーハンドル１５，１６が取り付けられている。
【００３１】
すなわち、図１に示すように、ドア８の揺動端部にはラッチボックス装着用凹部８ａが形成されていて、その凹部８ａにラッチボックス１３（ケース）が取り付けられ、このラッチボックス１３にはラッチボルト１４がドア８の揺動端部の小口面から出没可能に支持され、このラッチボルト１４は図外のばねにより常時はドア８の揺動端部の小口面から突出するように付勢されている。
【００３２】
ラッチボックス１３には、上記室内側及び室外側のドアレバーハンドル１５，１６が回動可能に支持されている。両レバーハンドル１５，１６は基本的に同じ構造のもので、ドア８の表裏面に沿って例えば略水平に延びかつ両端部が閉塞された中空状の棒部材からなるハンドル本体１７と、このハンドル本体１７に接続され、ハンドル本体１７をドア８に回動可能に支持する中空状の軸部１８とを備えている。ラッチボックス１３の内部にはドア８の厚さ方向に延びる回動軸（図示せず）が回動可能に支持され、この回動軸の両端部にそれぞれ上記ドアレバーハンドル１５，１６の軸部１８，１８が回動一体に連結されている。ラッチボックス１３内に位置する上記回動軸には、上記ラッチボルト１４に係止可能な係止爪（図示せず）が取り付けられており、レバーハンドル１５，１６の各ハンドル本体１７を例えば先端部が下側に向かうように軸部１８回りに回動させることで、回動軸を回動させて係止爪をラッチボルト１４に係止させ、そのラッチボルト１４をばねの付勢力に抗してドア８の揺動端部の小口面に没入させるようにしている。
【００３３】
一方、上記出入り口７周囲の他方の縦枠９には、上記突出したラッチボルト１４に係合に係合する穴状のラッチボルト受け（図示せず）が取り付けられ、ドア８が閉じたときに、その揺動端部の小口面から突出したラッチボルト１４がラッチボルト受けに係合することにより、ドア８を閉じ位置に保持できるようにしている。
【００３４】
上記各ドアレバーハンドル１５，１６のハンドル本体１７は、両端部が閉塞された中空状の棒部材からなり、その基端部（長さ方向の一端部）寄り部分に上記軸部１８が回転一体に接続されている。このハンドル本体１７において軸部１８との接続部分から図１左側の先端部に向かう範囲に握り部１９が設けられている。この握り部１９は、ドア８を開閉操作しようとする使用者が握る（掴む）グリップ部となる部分であり、この握り部１９を握ってドアレバーハンドル１５，１６のハンドル本体１７を例えば先端部が下側に向かうように軸部１８回りに回動させることで、ラッチボルト１４とラッチボルト受けとの係合を解除するようになっており、その係合解除状態でドア８をヒンジ１０回りに回動させてドア８の開閉を行うようにしている。尚、図１及び図３において、２０はドアレバーハンドル１５，１６の軸部１８周りのラッチボックス１３に設けられた丸座である。
【００３５】
このような室外側及び室内側のドアレバーハンドル１５，１６のうち、その室外側のドアレバーハンドル１６におけるハンドル本体１７の基端部には、軸部１８との接続位置を超えて先端部と反対側（図１で右側）に延びる基端延長部１７ａが一体に設けられている。図２に示すように、この基端延長部１７ａの端面１７ｂにはスイッチ取付孔２１が開口され、スイッチ取付孔２１にはプッシュ式のスイッチ２３が操作部２３ａをハンドル本体１７の端面１７ｂから突出するように取付固定されている。このプッシュ式のスイッチ２３は、例えばゴムや樹脂等の弾性材料からなるボタン状の操作部２３ａを有し、その操作部２３ａが内蔵のばね（図示せず）等によって突出方向（押込み方向と反対側）に付勢されているもので、スイッチ２３の内部にスイッチ素子（図示せず）が配置されており、操作部２３ａを押込み操作することによってスイッチ素子のＯＮ状態とＯＦＦ状態とが切り換わるようになっている。
【００３６】
この実施形態では、上記ハンドル本体１７における基端延長部１７ａの端面１７ｂは、ドア８を開閉しようとする使用者がその握り部１９を手で握ったときにその手の親指が操作可能な位置であり、この端面１７ｂにスイッチ２３が取り付けられ、スイッチ２３は、上記握り部１９を握った使用者の手の親指により切換操作可能な構造とされている。
【００３７】
図２に示すように、上記スイッチ２３のスイッチ素子には２本の配線３１，３１が接続され、この配線３１，３１は、図示しないが、ハンドル本体１７の内部から軸部１８の内部を通ってラッチボックス１３内に延び、そのラッチボックス１３からドア８の内部を通って壁２の内部に至り、シーリングライト５（室内照明機器）の電源制御部（図示せず）に接続されている。そして、スイッチ２３は、後述の室内壁スイッチ３３と同じ機能を行うものであり、スイッチ２３を押込み操作してＯＮ・ＯＦＦ状態を切り換えることによってシーリングライト５を点灯又は消灯させるようになっている。
【００３８】
尚、上記出入り口７（ドア８）近くの壁２には室内壁スイッチ３３が取り付けられ、この室内壁スイッチ３３も上記電源制御部に接続されており、室内壁スイッチ３３を操作してＯＮ・ＯＦＦ状態を切り換えることによってもシーリングライト５を点灯又は消灯できるようにしている。
【００３９】
上記スイッチ２３は、例えばその操作部２３ａ等にて発光可能としてもよい。この発光可能なスイッチ２３は、外部電源や電池等によって発光するＬＥＤ等を内蔵するものであったり、或いは操作部２３ａが外部からの光エネルギーを蓄えて発光する蓄光体で構成されていたりしてもよい。また、発光は常時（昼夜）行うようにしてもよいが、周囲の明るさをセンサで検知して、暗いときのみに発光するようにすることもできる。
【００４０】
この実施形態では、上記室の出入り口７を開閉するドア８に設けられて、そのドア８を開閉操作する室外側のドアレバーハンドル１６、このドアレバーハンドル１６のハンドル本体１７において握り部１９を握った使用者が手の指で切換操作可能となるように基端延長部１７ａの端面１７ｂに取り付けられたスイッチ２３、配線３１，３１、電源制御部、室内壁スイッチ３３等により、室内のシーリングライト５の点消灯状態を切り換える室内照明機器用の点消灯切換装置３５が構成されている。
【００４１】
したがって、この実施形態においては、ドア８の室外側のドアレバーハンドル１６のハンドル本体１７に握り部１９が設けられ、この握り部１９を使用者が握ったときに使用者の手の親指が操作可能な位置である、ハンドル本体１７における基端延長部１７ａの端面１７ｂにスイッチ２３が取り付けられているので、例えば、室内に入ろうとする使用者がドア８を開けるために室外側のドアレバーハンドル１６の握り部１９を手の親指以外の４本の指で握り、その握り部１９を握った状態で残りの親指によりスイッチ２３を操作することができる。このスイッチ２３の操作に伴い、スイッチ２３がＯＮ・ＯＦＦ状態に切り換わってシーリングライト５が点灯又は消灯する。そのため、室外側のドアレバーハンドル１６の握り部１９を握った状態で、室外からドア８を開けるのと同時にないしは開けながらスイッチ２３を操作して室内のシーリングライト５を点灯させることができるようになる。その結果、暗い室内でシーリングライト５の点灯のために室内壁スイッチ３３を探す必要がなくなり、素早くスムーズにシーリングライト５を点灯させることができ、室内壁スイッチ３３を探す際に暗闇で室内の家具や備品等に当たることもない。
【００４２】
そのとき、室外側のドアレバーハンドル１６は、ドア８の表裏面に沿って延びるハンドル本体１７と、このハンドル本体１７に接続され、ハンドル本体１７をドア８に回動可能に支持する軸部１８とを有し、そのハンドル本体１７の握り部１９を手で握ってハンドル本体１７を軸部１８回りに回動させることで、ドア８のラチェットが没入し、ドア８を開くことができるようになっており、そのようなレバーハンドル１６によるドア８の開閉操作の際に、そのハンドル本体１７の握り部１９を手で握った状態で、その手の親指によって操作可能なスイッチ取付位置にあるスイッチ２３を操作すればよい。このことで、握り部１９を手で握ってドアレバーハンドル１６を回す前に、握り部１９を握った手の動作を利用してスイッチ２３を操作でき、スイッチ２３をスムーズに操作して、そのＯＮ・ＯＦＦ状態を切り換えるときの操作性を高めることができる。
【００４３】
しかも、使用者はドアレバーハンドル１６のハンドル本体１７における握り部１９を親指以外の４本の指で握った状態で、その握り動作に直接的に関与しない親指を使ってスイッチ２３を操作するので、握り動作をしながらそれとは別の親指の動きでスイッチ２３を操作する必要があり、このように握り動作とは別の指の動作を追加することで、握り部１９の外周面にスイッチ取付位置を形成してスイッチ２３を設けた場合のように、握り動作自体によってスイッチ２３が操作されてしまう虞れがなく、その分、誤操作を回避できる利点がある。
【００４４】
また、スイッチ２３は、押込み操作によりＯＮ・ＯＦＦ状態が切り換えられるものであるので、１つのスイッチ２３を押込み操作するだけで、そのＯＮ・ＯＦＦ状態が切り換わり、切換えのために複数のスイッチが不要であり、シンプルな構造となるとともに、切換えの誤操作を防ぐことができる。
【００４５】
さらに、ドア８の室外側に設けられたドアレバーハンドル１６にスイッチ２３が取り付けられているので、室内に入ろうとする使用者がドア８を開けるために室外側のドアレバーハンドル１６の握り部１９を握り、その親指によりスイッチ２３を操作してシーリングライト５を点灯させることができ、室外からドア８を開ける前に室内のシーリングライト５を点灯できる。また、逆にシーリングライト５を消灯するときには、同様にして、ドア８を開けて室内から出た使用者がドア８を閉じるために室外側のドアレバーハンドル１６の握り部１９を握って、その親指によりスイッチ２３を操作すればよく、室外から出た後のドア８を閉じる際に室内のシーリングライト５を消灯できる。
【００４６】
そして、スイッチ２３が発光可能な構造であると、暗い環境下でもドアレバーハンドル１６においてスイッチ２３の位置を容易に識別して、その操作をスムーズに行うことができる。
【００４７】
（実施形態２）
図５は本発明の実施形態２を示し（尚、以下の各実施形態では、図１〜図４と同じ部分については同じ符号を付してその詳細な説明は省略する）、スイッチ２３の取付位置を変更したものである。
【００４８】
すなわち、この実施形態では、室外側ドアレバーハンドル１６のハンドル本体１７における握り部１９の裏面（ドア８側の面）にスイッチ取付孔（図示せず）が開口され、このスイッチ取付孔にスイッチ２３が取り付けられている。このスイッチ２３は実施形態１と同様の構造のプッシュ式であり、ドア８を開閉しようとする使用者がその握り部１９を手で握ったときにその握った手の親指以外の４本の指のいずれかが操作可能な位置にスイッチ２３が取り付けられている。その他の構成は実施形態１と同様である。
【００４９】
この実施形態の場合、例えば、室内に入ろうとする使用者がドア８を開けるために室外側ドアレバーハンドル１６の握り部１９を手の親指以外の４本の指で握り、その握り部１９を握った状態で当該４本の指のいずれかによりスイッチ２３を操作することができる。この実施形態でも実施形態１と同様の作用効果が得られる。
【００５０】
（実施形態３）
図６は実施形態３を示し、室外側ドアレバーハンドル１６の回し操作に基づいてスイッチをＯＮ・ＯＦＦ操作するようにしたものである。
【００５１】
すなわち、この実施形態では、ドア８のラッチボックス１３内に、シーリングライト５の点灯又は消灯を切り換えるためのスイッチ（図示せず）が取り付けられている。そのスイッチは、例えば両ドアレバーハンドル１５，１６の軸部１８，１８同士を連結する既述の回動軸（図示せず）が回動したときに該回動軸に係合する等してＯＦＦ状態からＯＮ状態に切換作動するようになっている。このことで、スイッチは、ドア８を開けるために室外側ドアレバーハンドル１６の握り部１９を握ってハンドル本体１７を軸部１８回りに図６で反時計回り方向に回動操作したときの該ハンドル本体１７の動き（回動）に応じてＯＮ・ＯＦＦ状態が切換操作される構造となっている。その他は実施形態１と同様の構造である。
【００５２】
したがって、この実施形態においては、ドア８を開けて室内に入ろうとする使用者が、室外側ドアレバーハンドル１６のハンドル本体１７の握り部１９を手で握って該ハンドル本体１７を軸部１８回りに図６で仮想線にて示すように回し操作すると、スイッチがＯＦＦ状態からＯＮ状態に切り換わり、室内のシーリングライト５が点灯する。このことで、ドア８を開くためにドアレバーハンドル１６のハンドル本体１７を通常どおりに回し操作するだけで、自動的にスイッチが操作されてシーリングライト５を点灯させることができ、スイッチの切換操作時の操作性を高めることができる。
【００５３】
（実施形態４）
図７は実施形態４を示す。この実施形態では、室外側ドアレバーハンドル１６の軸部１８は、ラッチボックス１３内の回動軸に回転一体に連結されているが、その回動軸に対して軸方向に相対移動可能となっていて、ドア８表面からの突出長さが変化するように伸縮可能にドア８に支持され、この軸部１８の伸縮によりハンドル本体１７はドア８に対し接離可能にかつ常時は図外の例えばばね等により接近した状態で支持されている。そして、図示しないが、ラッチボックス１３内に、シーリングライト５の点灯又は消灯を切り換えるためのスイッチが収容され、このスイッチは、握り部１９を握ってハンドル本体１７を軸部１８の伸縮動作によってドア８に対し接離操作したときの該ハンドル本体１７の動き（接離動作）に応じてＯＮ・ＯＦＦ状態が切換操作される構造であり、例えば図７で仮想線にて示すように、ハンドル本体１７を軸部１８が伸びるように引き出してドア８から離隔させたときにスイッチがＯＦＦ状態からＯＮ状態に切り換わるようになっている。その他の構成は実施形態１と同じである。
【００５４】
したがって、この実施形態の場合、ドア８を開けて室内に入ろうとする使用者が室外側ドアレバーハンドル１６におけるハンドル本体１７の握り部１９を手で握ってハンドル本体１７を引っ張り、軸部１８の伸張によりハンドル本体１７を通常の位置よりも引き出してドア８から離隔させることにより、スイッチが切換操作されてＯＮ状態になる。このことで、ドア８を開くためにドアレバーハンドル１６の握り部１９を握った手でハンドル本体１７を引き操作するだけで、スイッチが操作されてシーリングライト５を点灯させることができ、この場合もスイッチの切換操作時の操作性を高めることができる。
【００５５】
尚、この実施形態では、ハンドル本体１７の引出操作によりスイッチをＯＮ状態に切り換えるようにしているが、逆に、ハンドル本体１７の押込み操作により軸部１８を収縮させてスイッチをＯＮ状態に切り換えるようにすることもできる。
【００５６】
（実施形態５）
図８は実施形態５を示し、上記実施形態４ではハンドル本体１７をドア８に対し接離させてスイッチを切換操作するようにしているのに対し、ハンドル本体１７を軸部１８に対しスライドさせてスイッチを切換操作するようにしたものである。
【００５７】
この実施形態では、図８に示すように、ハンドル本体１７は、軸部１８に対しハンドル本体１７の長さ方向に相対的にスライド移動可能に支持されている。そして、図示しないが、ハンドル本体１７の内部又は軸部１８の内部にシーリングライト５の点灯又は消灯を切り換えるためのスイッチが収容され、このスイッチは、握り部１９を握ってハンドル本体１７を軸部１８に対しスライド移動操作したときの該ハンドル本体１７の動き（スライド動作）に応じてＯＮ・ＯＦＦ状態が切換操作される構造であり、例えばハンドル本体１７が図で実線に示す通常位置（ＯＦＦ位置）から仮想線にて示す切換位置（ＯＮ位置）にスライド移動することにより、ＯＦＦ状態からＯＮ状態に切り換わるようになっている。その他は実施形態４と同様の構成を有する。
【００５８】
この実施形態の場合、室内に入るために使用者が室外側のドアレバーハンドル１６のハンドル本体１７の握り部１９を手で握って該ハンドル本体１７を軸部１８に対しスライド移動させ、図８で仮想線の切換位置に位置付けることにより、スイッチが切換操作されてＯＮ状態に切り換えられる。このことで、ドア８を開くためにドアレバーハンドル１６の握り部１９を握った手でハンドル本体１７をスライド移動させれば、スイッチが操作されてシーリングライト５を点灯させることができ、スイッチの切換操作時の操作性を高めることができる。
【００５９】
（その他の実施形態）
尚、上記各実施形態では、室外側のドアレバーハンドル１６のみにスイッチ２３を取り付けているが、室内側のドアレバーハンドル１５にもスイッチ２３を同様の構造で取り付けることもできる。こうすれば、室内壁スイッチ３３を設けることが不要になる。
【００６０】
また、上記実施形態１及び２では、スイッチ２３はプッシュ式のスイッチとしているが、他の方式のスイッチを採用できるのは勿論である。しかし、シンプルな構造となる点ではプッシュ式のスイッチ２３が好ましい。
【００６１】
さらに、上記各実施形態では、スイッチ２３とシーリングライト５との間を配線３１，３１で接続しているが、スイッチ２３の押込み操作により電波や赤外線を発射するようにし、それらを受信部や受光部で受けて電源制御部に切換信号を送るようにしてもよい。
【産業上の利用可能性】
【００６２】
本発明は、室内に入ろうとするときに室外側のドアレバーハンドルの握り部を握った手の指の動作を利用してスイッチを操作し、室外側から照明器具を点灯させ、そのスイッチの切換操作時の操作性を向上できるので、有用で産業上の利用可能性が高い。
【符号の説明】
【００６３】
５  シーリングライト（室内照明機器）
７  出入り口
８  ドア
１６  室外側ドアレバーハンドル
１７  ハンドル本体
１７ａ  基端延長部
１７ｂ  端面
１８  軸部
１９  握り部
２３  スイッチ
２３ａ  操作部
３５  点消灯切換装置
【図１】
2018104984.tif 000003
【図２】
2018104984.tif 000004
【図３】
2018104984.tif 000005
【図４】
2018104984.tif 000006
【図５】
2018104984.tif 000007
【図６】
2018104984.tif 000008
【図７】
2018104984.tif 000009
【図８】
2018104984.tif 000010